(57)【特許請求の範囲】
【請求項１】
第１コンタクトガラスおよび第２コンタクトガラスを有し、前記第１コンタクトガラス上を通過する原稿の画像を読み取る搬送読取および前記第２コンタクトガラス上に載置された原稿の画像を読み取る載置読取の実行が可能な画像読取装置であって、
画像読取ジョブの実行指示を受け付ける受付部と、
前記第１コンタクトガラス上に原稿を搬送するための原稿搬送路と、前記原稿搬送路に供給する原稿がセットされる原稿セットトレイと、前記原稿セットトレイにおいて原稿の有無を検知するための原稿セットセンサーと接続され、前記原稿セットセンサーの出力に基づき前記原稿セットトレイにおける原稿の有無を検知する原稿セット検知部と、前記受付部が前記画像読取ジョブの実行指示を受け付けたとき、前記原稿セット検知部が原稿有りを検知していれば、前記原稿セットトレイから前記原稿搬送路に原稿を供給するための給紙動作を開始する給紙部と、前記給紙部の原稿搬送方向下流側の給紙検知位置において原稿の有無を検知するための給紙検知センサーと接続され、前記給紙検知センサーの出力に基づき前記給紙検知位置における原稿の有無を検知し、前記給紙動作が開始されたにもかかわらず前記原稿搬送路に原稿が供給されない給紙エラーが発生したか否かを判断する給紙検知部と、を含む原稿搬送ユニットと、
前記受付部が前記画像読取ジョブの実行指示を受け付けたとき、前記原稿セット検知部が原稿有りを検知していれば、前記搬送読取を行う一方、前記原稿セット検知部が原稿無しを検知していれば、前記載置読取を行う画像読取部と、
前記第２コンタクトガラス上に原稿が有るか否かを検知する載置読取原稿検知部と、
画像読取装置の状態を報知する報知部と、を備え、
前記画像読取部は、前記給紙エラーの連続発生回数が予め定められた回数に到達したとき、前記載置読取原稿検知部が原稿有りを検知すれば、前記原稿セット検知部が原稿有りを検知していたとしても、前記載置読取を行い、
前記報知部は、前記給紙エラーの連続発生回数が予め定められた回数に到達したとき、前記載置読取原稿検知部が原稿有りを検知すれば、前記原稿セットセンサーに異常が発生した旨を報知することを特徴とする画像読取装置。
【請求項２】
前記報知部は、前記載置読取原稿検知部が原稿無しを検知すれば、前記給紙エラーが発生した旨を報知することを特徴とする請求項１に記載の画像読取装置。
【請求項３】
前記給紙部は、前記給紙動作を開始してから予め定められた所定時間が経過しても前記給紙検知部が原稿有りを検知しなかったとき、前記給紙動作を一旦停止してから前記給紙動作を再開するリトライ動作を行い、
前記給紙検知部は、前記リトライ動作の連続実行回数が予め定められた回数に達しても原稿有りを検知しなかったとき、前記給紙エラーが発生したと判断することを特徴とする請求項１または２に記載の画像読取装置。
【請求項４】
前記載置読取原稿検知部は、前記第２コンタクトガラス上の画像の読み取りによって得られた画像データに基づき前記第２コンタクトガラス上に原稿が有るか否かを検知することを特徴とする請求項１〜３のいずれか１項に記載の画像読取装置。
【請求項５】
請求項１〜４のいずれか１項に記載の画像読取装置を備えた画像形成装置。
【発明の詳細な説明】
【技術分野】
【０００１】
本発明は、画像読取装置および画像形成装置に関する。
【背景技術】
【０００２】
従来から、搬送読取用コンタクトガラス上を通過する原稿の画像を読み取る搬送読取および載置読取用コンタクトガラス上に載置された原稿の画像を読み取る載置読取の実行が可能な画像読取装置が知られている。このような画像読取装置は、コンタクトガラス上の原稿の画像を光学的に読み取って画像データを生成する画像読取部を備える。
【０００３】
また、搬送読取および載置読取の実行が可能な画像読取装置は、搬送読取用コンタクトガラス上に原稿を搬送するための原稿搬送ユニットを備える。原稿搬送ユニットは、搬送読取時の読取位置（搬送読取用コンタクトガラス上の位置）に繋がる原稿搬送路、原稿搬送路に供給する原稿がセットされる原稿セットトレイ、原稿セットトレイから原稿搬送路に原稿を供給する給紙ローラー、および、原稿搬送路に供給された原稿を搬送する搬送ローラーなどで構成される。また、原稿セットトレイには、原稿セットトレイに原稿がセットされているか否かを検知するための原稿セットセンサーが設けられる（たとえば、特許文献１参照）。
【先行技術文献】
【特許文献】
【０００４】
【特許文献１】特開平１０−２６８４４２号公報
【発明の概要】
【発明が解決しようとする課題】
【０００５】
たとえば、画像読取ジョブの実行指示を受け付けたとき、原稿セットトレイに原稿がセットされていれば（原稿セットセンサーの出力レベルが原稿有りを示すレベルとなっていれば）、原稿搬送ユニットは搬送読取用コンタクトガラス上に原稿を搬送し、画像読取部は搬送読取を実行する（載置読取は実行しない）。一方で、画像読取ジョブの実行指示を受け付けたとき、原稿セットトレイに原稿がセットされていなければ（原稿セットセンサーの出力レベルが原稿無しを示すレベルとなっていれば）、原稿搬送ユニットは原稿を搬送しない。この場合、画像読取部は載置読取を実行する。
【０００６】
ここで、原稿セットセンサーに異常が発生すると、原稿セットセンサーの出力レベルが原稿有りを示すレベルのまま保持される場合がある。この場合、載置読取を所望するユーザーが載置読取用コンタクトガラス上に原稿を載置し、画像読取ジョブの実行を指示すると、原稿セットトレイに原稿をセットしていなかったとしても、原稿セットセンサーの出力レベルが原稿有りを示すレベルのまま保持されているので、画像読取部は載置読取を開始せず、搬送読取を開始する（原稿搬送ユニットが原稿搬送を開始する）。結果として、給紙不良エラーが発生し、読み取りができない。したがって、載置読取を所望するユーザーからすると、載置読取が実行されないので、利便性が悪い。
【０００７】
本発明は、上記課題を解決するためになされたものであり、原稿セットセンサーに異常が発生している場合に載置読取が実行できなくなるのを抑制することにより、ユーザーの利便性を向上させることが可能な画像読取装置および画像形成装置を提供することを目的とする。
【課題を解決するための手段】
【０００８】
上記目的を達成するため、本発明の画像読取装置は、第１コンタクトガラスおよび第２コンタクトガラスを有し、第１コンタクトガラス上を通過する原稿の画像を読み取る搬送読取および第２コンタクトガラス上に載置された原稿の画像を読み取る載置読取の実行が可能な画像読取装置であって、受付部と、原稿搬送ユニットと、画像読取部と、載置読取原稿検知部と、を備える。受付部は、画像読取ジョブの実行指示を受け付ける。原稿搬送ユニットは、第１コンタクトガラス上に原稿を搬送するための原稿搬送路と、原稿搬送路に供給する原稿がセットされる原稿セットトレイと、原稿セットトレイにおいて原稿の有無を検知するための原稿セットセンサーと接続され、原稿セットセンサーの出力に基づき原稿セットトレイにおける原稿の有無を検知する原稿セット検知部と、受付部が画像読取ジョブの実行指示を受け付けたとき、原稿セット検知部が原稿有りを検知していれば、原稿セットトレイから原稿搬送路に原稿を供給するための給紙動作を開始する給紙部と、給紙部の原稿搬送方向下流側の給紙検知位置において原稿の有無を検知するための給紙検知センサーと接続され、給紙検知センサーの出力に基づき給紙検知位置における原稿の有無を検知し、給紙動作が開始されたにもかかわらず原稿搬送路に原稿が供給されない給紙エラーが発生したか否かを判断する給紙検知部と、を含む。画像読取部は、受付部が画像読取ジョブの実行指示を受け付けたとき、原稿セット検知部が原稿有りを検知していれば、搬送読取を行う一方、原稿セット検知部が原稿無しを検知していれば、載置読取を行う。載置読取原稿検知部は、第２コンタクトガラス上に原稿が有るか否かを検知する。そして、画像読取部は、給紙エラーの連続発生回数が予め定められた回数に到達したとき、載置読取原稿検知部が原稿有りを検知すれば、原稿セット検知部が原稿有りを検知していたとしても、載置読取を行う。
【０００９】
ここで、通常では、搬送読取を実行したいユーザーは、原稿セットトレイに原稿をセットするが、第２コンタクトガラス上には原稿を載置しない。一方で、載置読取を実行したいユーザーは、原稿セットトレイには原稿をセットせず、第２コンタクトガラス上に原稿を載置する。
【００１０】
そこで、本発明では、給紙エラーの連続発生回数が予め定められた回数に到達したときに、第２コンタクトガラス上に原稿が有るか否かを検知する。
【００１１】
このとき、第２コンタクトガラス上に原稿が有れば、原稿セットトレイに原稿がセットされていなかったにもかかわらず給紙動作が開始されたために、原稿セット検知部が給紙エラーの発生を検知したと予測される。すなわち、原稿セットトレイに原稿がセットされていなかったにもかかわらず、原稿セット検知部が原稿セットトレイに原稿が有ることを検知していた（原稿セットセンサーの出力レベルが原稿の有りを示すレベルになっていた）と予測される。一方で、第２コンタクトガラス上に原稿が無ければ、原稿セットトレイに原稿がセットされていたことにより給紙動作が開始されたが、何らかの理由で原稿搬送路に原稿が供給されなかったために、原稿セット検知部が給紙エラーの発生を検知したと予測される。すなわち、原稿セットトレイに原稿がセットされていたことにより、原稿セット検知部が原稿セットトレイに原稿が有ることを検知していた（原稿セットセンサーの出力レベルが原稿の有りを示すレベルになっていた）と予測される。これにより、本発明では、給紙エラーの連続発生回数が予め定められた回数に到達したとき、第２コンタクトガラス上に原稿が有れば、原稿セットセンサーに異常が発生しているものとする。そして、このとき、原稿セット検知部が原稿有りを検知していたとしても、載置読取を行う。その結果、原稿セットセンサーに異常が発生している場合に載置読取が実行できなくなるのを抑制することができるので、ユーザーの利便性が向上する。
【発明の効果】
【００１２】
本発明では、原稿セットセンサーに異常が発生している場合に載置読取が実行できなくなるのを抑制することができるので、ユーザーの利便性が向上する。
【図面の簡単な説明】
【００１３】
【図１】本発明の一実施形態による画像読取装置が備えられた画像形成装置の概略図
【図２】図１に示した画像形成装置に備えられる画像読取装置の詳細図
【図３】図１に示した画像形成装置（画像読取装置）のハードウェア構成を説明するためのブロック図
【図４】図１に示した画像形成装置（画像読取装置）のハードウェア構成を説明するためのブロック図
【図５】図１に示した画像形成装置（画像読取装置）において表示される報知画面（給紙エラーが発生した旨を報知するため画面）の図
【図６】図１に示した画像形成装置（画像読取装置）において表示される報知画面（原稿セットセンサーに異常が発生した旨を報知するための画面）の図
【図７】図１に示した画像形成装置（画像読取装置）において行われる原稿セットセンサーの異常発生検知の流れを説明するためのフローチャート
【図８】図１に示した画像形成装置（画像読取装置）において行われる原稿セットセンサーの異常発生検知の流れを説明するためのフローチャート
【発明を実施するための形態】
【００１４】
以下に、画像読取装置を備えた画像形成装置について、スキャン機能、プリント機能およびコピー機能など複数種の機能を搭載する複合機を例にとって説明する。
【００１５】
（画像形成装置の全体構成）
図１に示すように、画像形成装置１００は、本体上方に装着された画像読取装置２００を備える。画像読取装置２００は、原稿Ｄの画像を読み取って画像データを生成する。なお、画像読取装置２００の構成については、後に詳細に説明する。
【００１６】
また、画像形成装置１００は、給紙部３、用紙搬送部４、画像形成部５および定着部６で構成されるエンジン部７を備える。そして、エンジン部７は、画像データ（たとえば、画像読取装置２００による読み取りによって得られた画像データなど）に基づく画像を用紙Ｐに印刷して出力する。
【００１７】
給紙部３は、用紙Ｐを収容するカセット３１を有し、そのカセット３１内に収容された用紙Ｐを用紙搬送路４０に供給する。給紙部３には、用紙搬送路４０に用紙Ｐを供給するための給紙ローラー３２が設けられている。
【００１８】
用紙搬送部４は、用紙搬送路４０に供給された用紙Ｐを転写ニップおよび定着ニップの順番で搬送し、排出トレイ４１にする。この用紙搬送部４には、用紙搬送路４０に沿って用紙Ｐを搬送するための複数の搬送ローラー対４２が設けられている。複数の搬送ローラー対４２のうち１つの搬送ローラー対４２は、レジストローラー対４３である。レジストローラー対４３は、用紙Ｐを転写ニップの手前で待機させ、タイミングを合わせて転写ニップに送り出す。
【００１９】
画像形成部５は、画像データに基づきトナー像を形成し、そのトナー像を用紙Ｐに転写する。画像形成部５は、感光体ドラム５１、帯電装置５２、露光装置５３、現像装置５４、転写ローラー５５およびクリーニング装置５６を含む。
【００２０】
画像形成時には、感光体ドラム５１が回転し、その感光体ドラム５１の表面を帯電装置５２が所定電位に帯電させる。また、露光装置５３は、露光用の光を発光する発光素子（図示せず）を有しており、その発光素子を画像データに基づき点消灯させつつ、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２１】
転写ローラー５５は、感光体ドラム５１の表面に圧接し、感光体ドラム５１との間で転写ニップを形成する。その状態で、レジストローラー対４３がタイミングを計り、転写ニップに用紙Ｐを進入させる。このとき、転写ローラー５５には転写用電圧が印加される。これによって、感光体ドラム５１の表面のトナー像が用紙Ｐに転写される。クリーニング装置５６は、用紙Ｐへのトナー像の転写が終わると、感光体ドラム５１の表面に残留するトナーなどを除去する。
【００２２】
定着部６は、用紙Ｐに転写されたトナー像を加熱および加圧して定着させる。この定着部６は、加熱ローラー６１および加圧ローラー６２を含む。加熱ローラー６１は、発熱源を内蔵する。加圧ローラー６２は、定着ローラー６１に圧接し、加熱ローラー６１との間で定着ニップを形成する。そして、トナー像が転写された用紙Ｐは、定着ニップを通過することにより、加熱および加圧される。これにより、用紙Ｐにトナー像が定着される。印刷済みの用紙Ｐは、搬送ローラー対４２によって排出トレイ４１に送られる。
【００２３】
（画像読取装置の構成）
図２に示すように、画像読取装置２００は、搬送読取用のコンタクトガラス２０ａおよび載置読取用のコンタクトガラス２０ｂを有する。そして、画像読取装置２００は、コンタクトガラス２０ａ上を通過する原稿Ｄの画像を読み取る搬送読取およびコンタクトガラス２０ｂ上に載置された原稿Ｄの画像を読み取る載置読取の実行が可能に構成されている。なお、コンタクトガラス２０ａは本発明の「第１コンタクトガラス」に相当し、コンタクトガラス２０ｂは本発明の「第２コンタクトガラス」に相当する。
【００２４】
具体的な構成としては、画像読取装置２００は、コンタクトガラス２０ａおよび２０ｂが嵌め込まれる読取台２０を有し、その読取台２０に対して開閉可能（回動可能）に取り付けられた原稿搬送ユニット１を備える。コンタクトガラス２０ａおよび２０ｂは、原稿搬送ユニット１が閉じられると、原稿搬送ユニット１によって覆われる。そして、搬送読取は、原稿搬送ユニット１が閉じた状態で実行される。これにより、原稿搬送ユニット１により搬送される原稿Ｄがコンタクトガラス２０ａ上を通過する。また、載置読取の実行に際して、原稿搬送ユニット１を閉じることにより、コンタクトガラス２０ｂ上に載置した原稿Ｄを押え付けることができる。なお、コンタクトガラス２０ｂと対向する原稿搬送ユニット１の所定部分には、白色マット１０ａが配置される。
【００２５】
また、原稿搬送ユニット１は、搬送読取時の読取位置（コンタクトガラス２０ａ上の位置）に原稿Ｄを搬送するための原稿搬送路１０を有する。原稿搬送路１０の一端には、原稿搬送路１０に供給する原稿Ｄがセットされる原稿セットトレイ１１が配置される。原稿搬送路１０の他端には、原稿搬送路１０を進行する原稿Ｄが排出される原稿排出トレイ１２が配置される。そして、原稿搬送路１０の途中の位置が搬送読取時の読取位置となっている。したがって、原稿搬送路１０に沿って原稿Ｄが搬送されると、その原稿Ｄがコンタクトガラス２０ａ上を通過することになる。このとき、原稿Ｄの一方面（原稿セットトレイ１１への原稿Ｄのセット時に上方に向けられた面）がコンタクトガラス２０ａと対向する。
【００２６】
原稿搬送路１０の原稿搬送方向上流側には、給紙部１３が設けられている。給紙部１３は、原稿セットトレイ１１にセットされた原稿Ｄを原稿搬送路１０に供給する。この給紙部１３は、原稿セットトレイ１１にセットされた原稿Ｄを引き出すピックアップローラー１３ａと、ピックアップローラー１３ａによって原稿セットトレイ１１から引き出された原稿Ｄを原稿搬送路１０に供給する給紙ベルト１３ｂとを含む。給紙ベルト１３ｂは、駆動ローラー１３ｃと従動ローラー１３ｄとによって張架され、駆動ローラー１３ｃが回転することで周回する（原稿Ｄを原稿搬送路１０に供給する）。
【００２７】
また、給紙部１３（給紙ベルト１３ｂ）の原稿搬送路１０を挟んで反対側の位置には、分離ローラー１４が設けられている。この分離ローラー１４は、給紙部１３による原稿搬送路１０への原稿Ｄの供給が行われているとき、原稿搬送方向と逆方向に原稿Ｄが進行するよう回転する。これにより、原稿セットトレイ１１から原稿Ｄが複数枚重なって引き出されたとしても、複数枚重なった原稿Ｄが１枚ずつに分離される。
【００２８】
給紙部１３の原稿搬送方向下流側には、複数の搬送ローラー対１５が原稿搬送路１０に沿って設けられている。複数の搬送ローラー対１５は、給紙部１３の原稿搬送方向下流側において原稿Ｄを搬送する。複数の搬送ローラー対１５のうち、給紙部１３に最も近い搬送ローラー対１５は、レジストローラー対１６である。レジストローラー対１６は、原稿Ｄの原稿搬送方向への進行を一旦停止させ、原稿Ｄを撓ませて原稿Ｄの斜行を補正する。
【００２９】
また、原稿搬送ユニット１には、原稿搬送路１０の複数の検知位置ＤＰにおける原稿Ｄの有無をそれぞれ検知するための複数の原稿検知センサーＤＳが設けられている。原稿検知センサーＤＳは、たとえば、検知対象に向けて光を発光する発光部および検知対象からの反射光を受光する受光部を有する反射型の光センサーである。そして、原稿検知センサーＤＳの出力は、検知位置ＤＰに原稿Ｄが有るときと無いときとで変動する。原稿検知センサーＤＳの出力は、たとえば、ジャムが発生したか否かを判断したり、搬送タイミングを計ったりするために用いられる。
【００３０】
複数の原稿検知センサーＤＳのうち、給紙部１３とレジストローラー対１６との間（給紙部１３の原稿搬送方向下流側）の検知位置ＤＰにおける原稿Ｄの有無を検知するための原稿検知センサーＤＳの出力は、原稿搬送路１０に原稿Ｄが供給されない給紙エラーが発生したか否かを判断するのにも用いられる。以下の説明では、この原稿検知センサーＤＳを給紙検知センサーＦＳと称し、給紙検知センサーＦＳの検知位置ＤＰを給紙検知位置ＦＰと称する場合がある。
【００３１】
原稿搬送ユニット１には、原稿セットトレイ１１における原稿Ｄの有無を検知するための原稿セットセンサーＳＳも設けられている。原稿セットセンサーＳＳは、たとえば、発光部、受光部、および、発光部と受光部との間を上下方向に移動するとともに原稿セットトレイ１１上の領域（原稿Ｄがセットされる領域）に突出するアクチュエーターを有する光センサーである。原稿セットセンサーＳＳのアクチュエーターは、原稿セットトレイ１１に原稿Ｄが有ると、原稿Ｄに押圧されて下方に移動し、発光部と受光部との間の光路を遮断（または、開放）する。一方で、原稿セットセンサーＳＳのアクチュエーターは、原稿セットトレイ１１から原稿Ｄが無くなると、原稿Ｄによる押圧が解除されることで上方に移動し、発光部と受光部との間の光路を開放（または、遮断する）する。これにより、原稿セットトレイ１１に原稿Ｄが有るときと無いときとで原稿セットセンサーＳＳの出力が変動する。
【００３２】
また、画像読取装置２００は、原稿台２０上の原稿Ｄの画像を光学的に読み取る画像読取部２を備える。画像読取部２は、読取ユニット２１を含み、その読取ユニット２１は、ランプ２２、ミラー２３、レンズ２４およびイメージセンサー２５などで構成される。
【００３３】
ランプ２２は、複数のＬＥＤ素子を有し、原稿Ｄに照射する光を生成する。複数のＬＥＤ素子は、図示しないが、読取ライン方向である主走査方向（図２の紙面に対して垂直な方向）にライン状に配列されている。なお、冷陰極管などをランプ２２として用いてもよい。そして、ランプ２２は、コンタクトガラス２０ａ上を通過する原稿Ｄを読み取るときには、コンタクトガラス２０ａに向けて光を照射する（コンタクトガラス２０ａを透過した光が原稿Ｄの一方面を照射する）。一方で、ランプ２２は、コンタクトガラス２０ｂ上に載置された原稿Ｄを読み取るときには、コンタクトガラス２０ｂに向けて光を照射する（コンタクトガラス２０ｂを透過した光が原稿Ｄの一方面を照射する）。原稿Ｄで反射された反射光は、ミラー２３で反射され、レンズ２４に導かれる。レンズ２４は、反射光を集光する。
【００３４】
イメージセンサー２５は、原稿Ｄで反射された反射光（レンズ２４で集光された光）を受光することにより原稿Ｄをライン単位で読み取る。このイメージセンサー２５は、主走査方向にライン状に並ぶ複数の光電変換素子を有するＣＣＤからなり、反射光を受光すると、ライン単位で画素毎に光電変換して電荷を蓄積する。そして、イメージセンサー２５は、蓄積電荷に応じたアナログ信号を出力する。すなわち、イメージセンサー２５の画素毎のアナログ出力は、反射光の光量に応じて変動する。
【００３５】
また、ランプ２２およびミラー２３は、主走査方向と直交する副走査方向に移動可能な保持部材２６によって保持される。保持部材２６は、ワイヤー２７の一端と連結される。ワイヤー２７の他端は、回転することでワイヤー２７を巻き取る巻取ドラム２８に連結される。これにより、巻取ドラム２８が回転することによって保持部材２６が副走査方向に移動し、ランプ２２およびミラー２３が保持部材２６と共に副走査方向に移動する。なお、保持部材２６には複数本のワイヤー２７が連結され、複数本のワイヤー２７が架けまわされる。ただし、図２では、便宜上、ワイヤー２７を１本のみ図示している。
【００３６】
コンタクトガラス２０ａ上を通過する原稿Ｄの画像を読み取る場合には、保持部材２６がコンタクトガラス２０ａの下方に移動して静止する。その後、原稿搬送ユニット１がコンタクトガラス２０ａ上に原稿Ｄを搬送する。このとき、コンタクトガラス２０ａ上を通過する原稿Ｄに対してランプ２２が光を照射し、原稿Ｄで反射された反射光の光電変換をイメージセンサー２５が連続して繰り返し行う。これにより、原稿Ｄの一方面の画像の読み取りがライン単位で行われる。
【００３７】
一方で、コンタクトガラス２０ｂ上に載置された原稿Ｄの画像を読み取る場合には、保持部材２６が副走査方向（正面から見て左から右に向かう方向）に移動する。そして、保持部材２６が副走査方向に移動している最中に、コンタクトガラス２０ｂ上に載置された原稿Ｄに対してランプ２２が光を照射し、原稿Ｄで反射された反射光の光電変換をイメージセンサー２５が連続して繰り返し行う。これにより、原稿Ｄの一方面の画像の読み取りがライン単位で行われる。
【００３８】
また、画像読取部２には、原稿搬送ユニット１の原稿台２０に対する傾きが予め定められた所定角度（たとえば、３５°）になったことを検知するための開閉検知センサーＩＳが設けられている。開閉検知センサーＩＳは、たとえば、発光部、受光部、および、発光部と受光部との間を上下方向に移動するとともに原稿台２０上の領域（原稿搬送ユニット１側の領域）に向かって突出するアクチュエーターを有する光センサーである。また、開閉検知センサーＩＳは、原稿搬送ユニット１を開閉可能に支持するヒンジ（図示せず）の近傍に配置される。開閉検知センサーＩＳのアクチュエーターは、原稿搬送ユニット１の傾きが所定角度よりも小さくなると、原稿搬送ユニット１により押圧されて下方に移動し、発光部と受光部との間の光路を遮断（または、開放）する。一方で、開閉検知センサーＩＳのアクチュエーターは、原稿搬送ユニット１の傾きが所定角度よりも大きくなると、原稿搬送ユニット１による押圧が解除されることで上方に移動し、発光部と受光部との間の光路を開放（または、遮断）する。これにより、原稿セットセンサーＳＳの出力は、原稿搬送ユニット１の傾きが所定角度になったときに変動する。
【００３９】
なお、画像読取装置２００には、原稿Ｄの一方面を読み取るための読取ユニット２１とは別に、原稿Ｄの一方面とは反対側の他方面を読み取るためのＣＩＳユニット２９が設けられている。ＣＩＳユニット２９は、原稿搬送路１０に沿った所定箇所に配置される。これにより、原稿Ｄの両面の読み取りを同時に行うことができるようになる。
【００４０】
図１に戻って、画像読取装置２００は、操作パネル８を備える。操作パネル８は、タッチパネル付きの液晶表示部８１を含む。液晶表示部８１は、ユーザーから各種設定などを受け付けるためのソフトキーやメッセージなどを表示する。さらに、操作パネル８には、テンキー８２やスタートキー８３などのハードキーも設けられている。
【００４１】
（画像形成装置（画像読取装置）のハードウェア構成）
図３に示すように、画像形成装置１００（画像読取装置２００）は、主制御部１１０を備える。この主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、プログラムおよびデータを記憶する。そして、主制御部１１０は、記憶部１１３に記憶されたプログラムおよびデータに基づき、画像形成装置１００の全体制御を行う。
【００４２】
また、図４に示すように、主制御部１１０は、原稿搬送制御部１２０と接続される。原稿搬送制御部１２０は、ＣＰＵ１２１および記憶部１２２を含む。そして、原稿搬送制御部１２０は、主制御部１１０から指示を受け、原稿搬送ユニット１により実行される原稿搬送を制御する。
【００４３】
具体的には、原稿搬送制御部１２０は、原稿搬送ユニット１に設置された回転体を回転させるための搬送モーターＭ１と接続され、原稿搬送ユニット１の回転体を適切に回転させる。なお、給紙部１３（ピックアップローラー１３ａおよび給紙ローラー１３ｃ）および分離ローラー１４を回転させるモーター、レジストローラー対１６を回転させるモーター、レジストローラー対１６以外の搬送ローラー対１５を回転させるモーターは互いに異なるが、便宜上、これらのモーターを総じて搬送モーターＭ１と称している。
【００４４】
また、原稿搬送制御部１２０は、原稿検知センサーＤＳ（給紙検知センサーＦＳも含む）と接続され、原稿検知センサーＤＳの出力に基づき、原稿搬送路１０の検知位置ＤＰ（給紙検知位置ＦＰを含む）における原稿Ｄの有無を検知する。そして、原稿搬送制御部１２０は、原稿搬送路１０においてジャムが発生したか否かを判断したり、原稿Ｄの搬送タイミングを計ったりする。これに加えて、原稿搬送制御部１２０は、給紙検知センサーＦＳの出力に基づき、給紙検知位置ＦＰにおける原稿Ｄの有無を検知し、原稿搬送路１０に原稿Ｄが供給されない給紙エラーが発生したか否かを判断する。この構成においては、原稿搬送制御部１２０が本発明の「給紙検知部」に相当する。
【００４５】
さらに、原稿搬送制御部１２０は、原稿セットセンサーＳＳと接続され、原稿セットセンサーＳＳの出力に基づき、原稿セットトレイ１１における原稿Ｄの有無を検知する。この構成においては、原稿搬送制御部１２０が本発明の「原稿セット検知部」に相当する。
【００４６】
また、主制御部１１０は、画像読取制御部１３０と接続される。画像読取制御部１３０は、ＣＰＵ１３１および記憶部１３２を含む。そして、画像読取制御部１３０は、主制御部１１０から指示を受け、画像読取部２により実行される画像読取を制御する。
【００４７】
具体的には、画像読取制御部１３０は、巻取ドラム２８を回転させるための巻取モーターＭ２と接続され、巻取ドラム２８を適切に回転させる。すなわち、画像読取制御部１３０は、保持部材２６を副走査方向に移動させ、読取ユニット２１の読取位置（ランプ２２の照射位置）を制御する。また、画像読取制御部１３０は、読取ユニット２１（ランプ２２およびイメージセンサー２４）と接続され、ランプ２２およびイメージセンサー２４の各動作を制御する。また、画像読取制御部１３０は、読取ユニット２１の出力（イメージセンサー２４のアナログ出力）を処理するため、アナログ処理部２０１、補正部２０２および画像メモリー２０３と接続される。
【００４８】
アナログ処理部２０１は、増幅回路やＡ／Ｄ変換回路などを含む。そして、アナログ処理部２０１は、イメージセンサー２４のアナログ出力を増幅し、デジタルの画像データに変換して出力する。補正部２０２は、シェーディング補正などの補正を行う。画像メモリー２０３は、画像データを蓄積し、主制御部１１０（画像処理部１１２）に転送する。画像データを受けた主制御部１１０（画像処理部１１２）は、画像データに対して画像処理を施し、露光用の画像データ（露光装置５３の発光素子を点消灯させるためのデータ）を生成する。そして、主制御部１１０は、露光用の画像データをエンジン部７に出力する。
【００４９】
また、画像読取制御部１３０は、開閉検知センサーＩＳと接続され、開閉検知センサーＩＳの出力に基づき、原稿搬送ユニット１の傾きが所定角度になったか否かを検知する。そして、画像読取制御部１３０は、原稿搬送ユニット１の傾きが所定角度になったとき（原稿搬送ユニット１が完全に閉じられる直前）、コンタクトガラス２０ｂ上に載置された原稿Ｄのサイズを検知する。
【００５０】
画像読取制御部１３０は、原稿サイズ検知を行うとき、予め定められた原稿サイズ検知位置（コンタクトガラス２０ｂの副走査方向の左端部）においてコンタクトガラス２０ｂ上の画像の読み取りを読取ユニット２１に行わせ、それによって得られた画像データを原稿サイズ検知用画像データとして取得する。そして、画像読取制御部１３０は、原稿サイズ検知用画像データを参照し、明るい画素データ（原稿Ｄが存在することを示す画素データ）と暗い画素データ（原稿Ｄが存在しないことを示す画素データ）との境界を特定し、原稿Ｄのサイズを判定する。また、このような原稿サイズ検知を行うことにより、コンタクトガラス２０ｂ上に原稿Ｄが有るか否かを判断することもできる。なお、原稿搬送ユニット１が完全に閉じられる前に原稿サイズ検知を行う理由は、原稿搬送ユニット１が完全に閉じられてしまうと、白色マット１０ａを原稿Ｄとして認識してしまい、原稿Ｄが存在する部分と存在しない部分との境界を正確に読み取ることができないためである。
【００５１】
また、主制御部１１０は、操作パネル８と接続され、操作パネル８の表示動作を制御したり、操作パネル８に対してユーザーが行った操作を検知したりする。たとえば、操作パネル８は、スタートキー８３を押下する操作をユーザーが行うと、その押下操作を画像読取ジョブの実行指示として受け付ける。そして、主制御部１１０は、操作パネル８が画像読取ジョブの実行指示を受け付けると、原稿搬送ユニット１および画像読取部２に画像読取ジョブを実行させる。この構成においては、操作パネル８が本発明の「受付部」に相当する。なお、操作パネル８は、エンジン部７により実行される印刷ジョブの実行指示も受け付ける。すなわち、操作パネル８は、画像読取装置２００専用のものではない。
【００５２】
（画像読取ジョブの概要）
操作パネル８は、複数種の機能（スキャン機能、プリント機能およびコピー機能など）のうちいずれを使用するかの選択指示をユーザーから受け付ける。そして、主制御部１１０は、スキャン機能の選択指示を操作パネル８が受け付け、かつ、ジョブ実行指示を操作パネル８が受け付けると、操作パネル８が画像読取ジョブの実行指示を受け付けたものとして、原稿搬送ユニット１および画像読取部２に画像読取ジョブを開始させる。このとき、主制御部１１０は、原稿セットトレイ１１に原稿Ｄがセットされていれば、原稿搬送ユニット１に原稿搬送を行わせるとともに、画像読取部２に搬送読取を行わせる。一方で、主制御部１１０は、原稿セットトレイ１１に原稿がセットされていなければ、画像読取部２に載置読取を行わせる（原稿搬送ユニット１に原稿搬送を行わせない）。
【００５３】
すなわち、原稿搬送制御部１２０は、操作パネル８が画像読取ジョブの実行指示を受け付けたとき、原稿セットセンサーＳＳの出力に基づき原稿セットトレイ１１に原稿Ｄが有ることを検知していれば、原稿セットトレイ１１から原稿搬送路１０に原稿Ｄを供給するための給紙動作を給紙部１３に開始させる。また、原稿搬送制御部１２０は、原稿搬送路１０に沿って原稿Ｄを搬送するための搬送動作を搬送ローラー対１５に行わせる。これにより、搬送読取時の読取位置（コンタクトガラス２０ａ上の位置）に原稿Ｄが搬送される。そして、画像読取制御部１３０は、ランプ２２をコンタクトガラス２０ａの下方に移動させ、コンタクトガラス２０ａ上を通過する原稿Ｄの画像を読取ユニット２１に読み取らせる（画像読取部２が搬送読取を行う）。
【００５４】
また、原稿搬送制御部１２０は、操作パネル８が画像読取ジョブの実行指示を受け付けたとき、原稿セットセンサーＳＳの出力に基づき原稿セットトレイ１１に原稿Ｄが無いことを検知していれば、給紙部１３に給紙動作を開始させず、搬送ローラー対１５に搬送動作を行わせない。この場合、画像読取制御部１３０は、コンタクトガラス２０ｂの下方においてランプ２２を副走査方向に移動させながら、コンタクトガラス２０ｂ上に載置された原稿Ｄの画像を読取ユニット２１に読み取らせる（画像読取部２が載置読取を行う）。
【００５５】
（給紙エラーの発生検知）
原稿搬送制御部１２０は、給紙動作の開始以降、給紙検知センサーＦＳの出力に基づいて、原稿搬送路１０に原稿Ｄが供給されない給紙エラーが発生したか否かを判断する。具体的には、原稿搬送制御部１２０は、給紙動作の開始から予め定められた所定時間内に給紙検知位置ＦＰにおいて原稿Ｄの有りを検知すれば、給紙が正常に行われたと判断する。なお、所定時間というのは、原稿セットトレイ１１から原稿搬送路１０に供給された原稿Ｄが給紙検知位置ＦＰに到達するのに要する予定時間である。
【００５６】
一方で、原稿搬送制御部１２０は、給紙動作の開始から所定時間内に給紙検知位置ＦＰにおいて原稿Ｄの有りを検知しなければ、給紙動作を一旦停止させてから給紙動作を再開させる（給紙部１３にリトライ動作を開始させる）。そして、原稿搬送制御部１２０は、リトライ動作の連続実行回数が予め定められた回数（たとえば、５回）に達しても給紙検知位置ＦＰにおいて原稿Ｄの有りを検知しなかったとき、給紙エラーが発生したと判断する。
【００５７】
原稿搬送制御部１２０は、給紙エラーが発生すると、給紙エラーが発生した旨を主制御部１１０に通知する。この通知を受けた主制御部１１０は、給紙エラーが発生した旨を示すメッセージなどを配した報知画面Ｓ１（図５参照）を操作パネル８に表示させる。たとえば、操作パネル８は、図５に示すように、原稿Ｄをセットし直すよう報知するためのメッセージを表示する。なお、給紙エラーの発生原因としては、給紙部１３（ピックアップローラー１３ａや給紙ベルト１３ｂ）の摩耗や給紙部１３への紙粉の付着なども考えられる。したがって、図示しないが、給紙部１３の交換（清掃）を促すメッセージを表示してもよい。また、原稿搬送制御部１２０は、給紙エラーの発生回数を記憶部１２２に記憶させる。
【００５８】
（原稿セットセンサーの異常発生検知）
原稿セットセンサーＳＳに異常が発生すると、原稿セットセンサーＳＳの出力レベルが原稿Ｄの有りを示すレベルのまま保持される場合がある。たとえば、原稿セットセンサーＳＳのアクチュエーターの取付状態（摺動性）が悪くなると、原稿セットトレイ１１から原稿Ｄが無くなってもアクチュエーターが移動せず、原稿セットトレイ１１に原稿Ｄが有ったときの位置に留まるので、原稿セットセンサーＳＳの出力レベルが原稿Ｄの有りを示すレベルのまま保持される。あるいは、原稿セットセンサーＳＳが故障した場合にも、原稿セットセンサーＳＳの出力レベルが原稿Ｄの有りを示すレベルのまま保持されることがある。
【００５９】
このような異常が原稿セットセンサーＳＳに発生している場合、載置読取を所望するユーザーがコンタクトガラス２０ｂ上に原稿Ｄを載置し、画像読取ジョブの実行指示を操作パネル８に対して行うと、原稿セットトレイ１１に原稿Ｄをセットしていなかったとしても、原稿セットセンサーＳＳの出力レベルが原稿Ｄの有りを示すレベルのまま保持されているので、原稿搬送ユニット１が原稿搬送を開始する（給紙部１３が給紙動作を開始する）。このとき、原稿セットトレイ１１には原稿Ｄがセットされていないので、原稿搬送路１０に原稿Ｄは供給されず、給紙エラーが発生する（図５に示した報知画面Ｓ１を操作パネル８が表示する）。したがって、載置読取を所望するユーザーからすると、載置読取が実行されないので、利便性が悪い。さらに、ユーザーは、原稿セットセンサーＳＳに異常が発生していることを認識していないので、原稿セットトレイ１１に原稿Ｄをセットしていないにもかかわらず給紙エラーが発生すると、どのように対処してよいのかが分からない。
【００６０】
したがって、本実施形態では、原稿セットセンサーＳＳに異常が発生したか否かを検知する。そして、原稿セットセンサーＳＳに異常が発生していれば、原稿セットセンサーＳＳの出力レベルが原稿Ｄの有りを示すレベルであっても、図５に示した報知画面Ｓ１を表示せずに載置読取を実行する。さらに、原稿セットセンサーＳＳに異常が発生している旨を報知する。たとえば、主制御部１１０は、原稿搬送制御部１２０が給紙エラーを予め定められた回数（たとえば、２〜３回）連続して検知したとき、原稿セットトセンサーＳＳに異常が発生したか否かを検知するための処理を画像読取部２（画像読取制御部１３０）に行わせる。
【００６１】
具体的には、画像読取制御部１３０は、給紙エラーの連続発生回数が予め定められた回数に到達したとき、直近の原稿サイズ検知時に取得した原稿サイズ検知用画像データを参照し、コンタクトガラス２０ｂ上に原稿Ｄが有るか否かを検知する。この構成においては、画像読取制御部１３０が本発明の「載置読取原稿検知部」に相当する。たとえば、コンタクトガラス２０ｂ上に原稿Ｄが載置されて原稿搬送ユニット１が閉じられた場合には、原稿サイズ検知用画像データが明るい画素データ（原稿Ｄが存在することを示すデータ）と暗い画素データ（原稿Ｄが存在しないことを示すデータ）とで構成される。一方で、コンタクトガラス２０ｂ上から原稿Ｄが除去されて原稿搬送ユニット１が閉じられた場合には、原稿サイズ検知用画像データが暗い画素データ（原稿Ｄが存在しないことを示すデータ）だけで構成される。これにより、原稿サイズ検知用画像データを参照すれば、コンタクトガラス２０ｂ上に原稿Ｄが有るか否かを検知することができる。そして、画像読取制御部１３０は、コンタクトガラス２０ｂ上に原稿Ｄが有るか否かの検知結果を主制御部１１０に通知する。
【００６２】
ここで、通常では、搬送読取を実行したいユーザーは、原稿セットトレイ１１に原稿Ｄをセットするが、コンタクトガラス２０ｂ上には原稿Ｄを載置しない。一方で、載置読取を実行したいユーザーは、原稿セットトレイ１１には原稿Ｄをセットせず、コンタクトガラス２０ｂ上に原稿Ｄを載置する。
【００６３】
したがって、画像読取制御部１３０がコンタクトガラス２０ｂ上に原稿Ｄが有ることを検知した場合には、原稿セットトレイ１１に原稿Ｄがセットされていなかったにもかかわらず給紙動作が開始されたために、原稿搬送制御部１２０が給紙エラーの発生を検知したと予測される。すなわち、この場合には、原稿セットトレイ１１に原稿Ｄがセットされていなかったにもかかわらず、原稿搬送制御部１２０が原稿セットトレイ１１に原稿Ｄが有ることを検知していた（原稿セットセンサーＳＳの出力レベルが原稿Ｄの有りを示すレベルになっていた）と予測される。このため、主制御部１１０は、コンタクトガラス２０ｂ上に原稿Ｄが有る旨の検知結果を画像読取制御部１３０から受けると、原稿セットセンサーＳＳに異常が発生していると判断する。
【００６４】
そして、主制御部１１０は、原稿搬送制御部１２０が原稿セットトレイ１１に原稿Ｄが有ることを検知していたとしても、原稿搬送ユニット１に原稿搬送（給紙部１３の給紙動作）を行わせず、画像読取部２に載置読取を行わせる。また、原稿セットセンサーＳＳに異常が発生している旨を示すメッセージなどを配した報知画面Ｓ２（図６参照）を操作パネル８に表示させる。たとえば、操作パネル８は、図６に示すように、サービスマンに連絡するよう促すメッセージを表示する。この構成においては、操作パネル８が本発明の「報知部」に相当する。
【００６５】
一方で、画像読取制御部１３０がコンタクトガラス２０ｂ上に原稿Ｄが無いことを検知した場合には、原稿セットトレイ１１に原稿Ｄがセットされていたことにより給紙動作が開始されたが、何らかの理由で用紙搬送路１０に原稿Ｄが供給されなかったために、原稿搬送制御部１２０が給紙エラーの発生を検知したと予測される。すなわち、この場合には、原稿セットトレイ１１に原稿Ｄがセットされていたことにより、原稿搬送制御部１２０が原稿セットトレイ１１に原稿Ｄが有ることを検知していた（原稿セットセンサーＳＳの出力レベルが原稿Ｄの有りを示すレベルになっていた）と予測される。このため、主制御部１１０は、コンタクトガラス２０ｂ上に原稿Ｄが無い旨の検知結果を画像読取制御部１３０から受けると、原稿セットセンサーＳＳに異常が発生していないと判断する。
【００６６】
この場合の給紙エラーの発生原因としては、原稿セットトレイ１１に対する原稿Ｄのセット状態になどに起因すると考えられる。このため、主制御部１１０は、図５に示したような報知画面Ｓ１を操作パネル８に表示させる。
【００６７】
以下に、図７および図８に示すフローチャートを参照して、原稿セットセンサーＳＳの異常発生検知の流れについて説明する。
【００６８】
まず、図７および図８のフローチャートのスタート時点では、原稿搬送制御部１２０が原稿セットトレイ１１に原稿Ｄが有ることを検知している（原稿セットセンサーＳＳの出力レベルが原稿Ｄの有りを示すレベルになっている）とする。すなわち、この状態において操作パネル８が画像読取ジョブの実行指示を受け付けると、原稿搬送ユニット１が原稿搬送を行い、画像読取部２が搬送読取を行うことになる。そして、操作パネル８が画像読取ジョブの実行指示を受け付けたときに、図７および図８のフローチャートがスタートする。
【００６９】
ステップＳ１において、主制御部１１０は、原稿搬送制御部１２０に指示し、原稿搬送ユニット１に原稿搬送を開始させる。すなわち、給紙部１３が給紙動作を開始する。ステップＳ２において、原稿搬送制御部１２０は、給紙動作の開始から予め定められた所定時間内に給紙検知位置ＦＰにおいて原稿Ｄの有りを検知したか否かを判断する。その結果、給紙検知位置ＦＰにおいて原稿Ｄの有りを検知すれば、ステップＳ３に移行する。ステップＳ３に移行すると、原稿搬送制御部１２０は、給紙が正常に行われたと判断する。
【００７０】
ステップＳ２において、給紙検知位置ＦＰにおいて原稿Ｄの有りを検知していない場合には、ステップＳ４に移行する。ステップＳ４に移行すると、原稿搬送制御部１２０は、給紙部１３にリトライ動作を開始させる。そして、ステップＳ５において、原稿搬送制御部１２０は、給紙動作（リトライ動作）の開始から所定時間内に給紙検知位置ＦＰにおいて原稿Ｄの有りを検知したか否かを判断する。その結果、給紙検知位置ＦＰにおいて原稿Ｄの有りを検知すれば、ステップＳ３に移行し、給紙検知位置ＦＰにおいて原稿Ｄの有りを検知しなければ、ステップＳ６に移行する。
【００７１】
ステップＳ６に移行すると、原稿搬送制御部１２０は、リトライ動作の連続実行回数が予め定められた回数に達しているか否かを判断する。その結果、リトライ動作の連続実行回数が予め定められた回数に達していなければ、ステップＳ４に移行し、リトライ動作の連続実行回数が予め定められた回数に達していれば、ステップＳ７に移行する。ステップＳ７に移行すると、原稿搬送制御部１２０は、給紙エラーが発生したと判断し、給紙エラーが発生した旨を主制御部１１０に通知する。
【００７２】
ステップＳ７からステップＳ８に移行し、原稿搬送制御部１２０は、給紙エラーの発生回数をカウントアップする（記憶部１２２に記憶された給紙エラーの発生回数を更新する）。その後、ステップＳ９において、原稿搬送制御部１２０は、給紙エラーの連続発生回数が予め定められた回数に達しているか否かを判断する。その結果、給紙エラーの連続発生回数が予め定められた回数に達していなければ、ステップＳ１０に移行する。ステップＳ１０に移行すると、原稿搬送制御部１２０は、給紙エラーの連続発生回数が予め定められた回数に達していない旨を主制御部１１０に通知する。この通知を受けた主制御部１１０は、給紙エラーが発生した旨を操作パネル８に報知させる（図５に示した報知画面Ｓ１を表示させる）。
【００７３】
ステップＳ９において、給紙エラーの連続発生回数が予め定められた回数に達している場合には、ステップＳ１１に移行する。ステップＳ１１に移行すると、原稿搬送制御部１２０は、給紙エラーの連続発生回数が予め定められた回数に達している旨を主制御部１１０に通知する。この通知を受けた主制御部１１０は、画像読取制御部１３０に指示し、コンタクトガラス２０ｂ上に原稿Ｄが有るか否かの検知を行わせる。その結果、コンタクトガラス２０ｂ上に原稿Ｄが無ければ、ステップＳ１０に移行する。一方で、コンタクトガラス２０ｂ上に原稿Ｄが有れば、ステップＳ１２に移行する。
【００７４】
ステップＳ１２に移行すると、主制御部１１０は、原稿セットセンサーＳＳに異常が発生したと判断する。そして、ステップＳ１３において、主制御部１１０は、原稿搬送制御部１２０が原稿セットトレイ１１に原稿Ｄが有ることを検知していたとしても、原稿搬送ユニット１に原稿搬送（給紙部１３の給紙動作）を行わせず、画像読取部２に載置読取を行わせる。その後、ステップＳ１４において、主制御部１１０は、原稿セットセンサーＳＳに異常が発生した旨を操作パネル８に報知させる（図６に示した報知画面Ｓ２を表示させる）。あるいは、載置読取の実行に並行して、原稿セットセンサーＳＳに異常が発生した旨を報知してもよい。
【００７５】
本実施形態の画像読取装置２００は、上記のように、搬送読取用のコンタクトガラス２０ａ（第１コンタクトガラス）および載置読取用のコンタクトガラス２０ｂ（第２コンタクトガラス）を有し、コンタクトガラス２０ａ上を通過する原稿Ｄの画像を読み取る搬送読取およびコンタクトガラス２０ｂ上に載置された原稿Ｄの画像を読み取る載置読取の実行が可能なように構成されている。すなわち、画像読取装置２００は、操作パネル８（受付部）と、原稿搬送ユニット１と、画像読取部２と、画像読取制御部１３０（載置読取原稿検知部）と、を備える。操作パネル８は、画像読取ジョブの実行指示を受け付ける。原稿搬送ユニット１は、コンタクトガラス２０ａ上に原稿Ｄを搬送するための原稿搬送路１０と、原稿搬送路１０に供給する原稿Ｄがセットされる原稿セットトレイ１１と、原稿セットトレイ１１において原稿Ｄの有無を検知するための原稿セットセンサーＳＳと接続され、原稿セットセンサーＳＳの出力に基づき原稿セットトレイ１１における原稿Ｄの有無を検知する原稿搬送制御部１２０（原稿セット検知部）と、操作パネル８が画像読取ジョブの実行指示を受け付けたとき、原稿搬送制御部１２０が原稿Ｄの有りを検知していれば、原稿セットトレイ１１から原稿搬送路１０に原稿１０を供給するための給紙動作を開始する給紙部１３と、給紙部１３の原稿搬送方向下流側の給紙検知位置ＦＰにおいて原稿Ｄの有無を検知するための給紙検知センサーＦＳと接続され、給紙検知センサーＦＳの出力に基づき給紙検知位置ＦＰにおける原稿Ｄの有無を検知し、給紙動作が開始されたにもかかわらず原稿搬送路１０に原稿Ｄが供給されない給紙エラーが発生したか否かを判断する原稿搬送制御部１２０（給紙検知部）と、を含む。画像読取部２は、操作パネル８が画像読取ジョブの実行指示を受け付けたとき、原稿搬送制御部１２０が原稿セットトレイ１１に原稿Ｄが有ることを検知していれば、搬送読取を行う一方、原稿搬送制御部１２０が原稿セットトレイ１１に原稿Ｄが無いことを検知していれば、載置読取を行う。画像読取制御部１３０は、コンタクトガラス２０ｂ上に原稿Ｄが有るか否かを検知する。そして、画像読取部２は、給紙エラーの連続発生回数が予め定められた回数に到達したとき、画像読取制御部１３０がコンタクトガラス２０ｂ上に原稿Ｄが有ることを検知すれば、原稿搬送制御部１２０が原稿セットトレイ１１に原稿Ｄが有ることを検知していたとしても、載置読取を行う。
【００７６】
ここで、通常では、搬送読取を実行したいユーザーは、原稿セットトレイ１１に原稿Ｄをセットするが、コンタクトガラス２０ｂ上には原稿Ｄを載置しない。一方で、載置読取を実行したいユーザーは、原稿セットトレイ１１には原稿Ｄをセットせず、コンタクトガラス２０ｂ上に原稿を載置する。
【００７７】
そこで、本実施形態では、給紙エラーの連続発生回数が予め定められた回数に到達したとき、コンタクトガラス２０ｂ上に原稿Ｄが有るか否かを検知する。
【００７８】
このとき、コンタクトガラス２０ｂ上に原稿Ｄが有れば、原稿セットトレイ１１に原稿Ｄがセットされていなかったにもかかわらず給紙動作が開始されたために、原稿搬送制御部１２０が給紙エラーの発生を検知したと予測される。すなわち、原稿セットトレイ１１に原稿Ｄがセットされていなかったにもかかわらず、原稿搬送制御部１２０が原稿セットトレイ１１に原稿Ｄが有ることを検知していた（原稿セットセンサーＳＳの出力レベルが原稿Ｄの有りを示すレベルになっていた）と予測される。一方で、コンタクトガラス２０ｂ上に原稿Ｄが無ければ、原稿セットトレイ１１に原稿Ｄがセットされていたことにより給紙動作が開始されたが、何らかの理由で原稿搬送路１０に原稿Ｄが供給されなかったために、原稿搬送制御部１２０が給紙エラーの発生を検知したと予測される。すなわち、原稿セットトレイ１１に原稿Ｄがセットされていたことにより、原稿搬送制御部１２０が原稿セットトレイ１１に原稿Ｄが有ることを検知していた（原稿セットセンサーＳＳの出力レベルが原稿Ｄの有りを示すレベルになっていた）と予測される。これにより、本実施形態では、給紙エラーの連続発生回数が予め定められた回数に到達したとき、コンタクトガラス２０ｂ上に原稿Ｄが有れば、原稿セットセンサーＳＳに異常が発生しているものとする。そして、このとき、原稿搬送制御部１２０が原稿セットトレイ１１に原稿Ｄが有ることを検知していたとしても、載置読取を行う。その結果、原稿セットセンサーＳＳに異常が発生している場合に載置読取が実行できなくなるのを抑制することができるので、ユーザーの利便性が向上する。
【００７９】
また、本実施形態では、上記のように、操作パネル８（報知部）は、給紙エラーの連続発生回数が予め定められた回数に到達したとき、画像読取部２（画像読取制御部１３０）がコンタクトガラス２０ｂ上に原稿Ｄが有ると判断すれば、原稿セットセンサーＳＳに異常が発生した旨を報知する（図６に示した報知画面Ｓ２を表示する）。これにより、原稿セットセンサーＳＳに異常が発生した場合に、原稿セットセンサーＳＳに異常が発生していることをユーザーに認識させることができるので、ユーザーの利便性が向上する。
【００８０】
また、本実施形態では、上記のように、操作パネル８は、画像読取部２（画像読取制御部１３０）がコンタクトガラス２０ｂに原稿Ｄが無いと判断すれば、給紙エラーが発生した旨を報知する（図５に示した報知画面Ｓ１を表示する）。これにより、ユーザーは、給紙エラーを解消するための作業（原稿Ｄをセットし直すなど）を速やかに開始することができる。
【００８１】
また、本実施形態では、上記のように、給紙部１３は、給紙動作を開始してから予め定められた所定時間が経過しても原稿搬送制御部１２０が給紙検知位置ＦＰにおいて原稿Ｄの有りを検知しなかったとき、給紙動作を一旦停止してから給紙動作を再開するリトライ動作を行う。そして、原稿搬送制御部１２０は、リトライ動作の連続実行回数が予め定められた回数に達しても給紙検知位置ＦＰにおいて原稿Ｄの有りを検知しなかったとき、給紙エラーが発生したと判断する。ここで、原稿セットトレイ１１に原稿Ｄがセットされていたとしても、給紙部１３（ピックアップローラー１３ａや給紙ベルト１３ｂ）が摩耗したり給紙部１３に紙粉が付着したりすると、１回の給紙動作だけでは原稿搬送路１０に原稿Ｄを供給できず、給紙動作を連続して繰り返すことによって原稿搬送路１０に原稿Ｄを供給できることがある。したがって、リトライ動作の連続実行回数が予め定められた回数に達しても給紙検知位置ＦＰにおいて原稿Ｄの有りを検知しなかったときに、給紙エラーが発生したと判断されるように構成するのが好ましい。
【００８２】
また、本実施形態では、上記のように、画像読取制御部１３０は、コンタクトガラス２０ｂ上の画像の読み取りによって得られた画像データに基づきコンタクトガラス２０ｂ上に原稿Ｄが有るか否かを検知する。たとえば、画像読取制御部１３０は、原稿サイズ検知時に取得した原稿サイズ検知用画像データを参照し、コンタクトガラス２０ｂ上に原稿Ｄが有るか否かを検知する。これにより、容易に、コンタクトガラス２０ｂ上に原稿Ｄが有るか否かを検知することができる。
【００８３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８４】
１  原稿搬送ユニット
２  画像読取部
８  操作パネル（受付部、報知部）
１０  原稿搬送路
１１  原稿セットトレイ
１３  給紙部
２０ａ  コンタクトガラス（第１コンタクトガラス）
２０ｂ  コンタクトガラス（第２コンタクトガラス）
１００  画像形成装置
１２０  原稿搬送制御部（原稿セット検知部、給紙検知部）
１３０  画像読取制御部（載置読取原稿検知部）
２００  画像読取装置
ＦＳ  給紙検知センサー
ＳＳ  原稿セットセンサー
【図１】
0005881645.tif 000002
【図２】
0005881645.tif 000003
【図３】
0005881645.tif 000004
【図４】
0005881645.tif 000005
【図５】
0005881645.tif 000006
【図６】
0005881645.tif 000007
【図７】
0005881645.tif 000008
【図８】
0005881645.tif 000009